(57)【要約】    【課題】  高ズーム比で良好なる画像を容易に得ることができ、しかもカメラに適用したときカメラ等の厚みを薄くすることができるズームレンズを得ること。    【解決手段】  物体側より像側へ順に、正の屈折力の第１レンズ群、負の屈折力の第２レンズ群、光路を折り曲げるための反射プリズム、複数のレンズ群を含む後続レンズ群を有し、ズーミングに際し、少なくとも前記第１、第２レンズ群が移動し、沈胴収納時には撮影状態とは異なる位置に前記反射プリズムが移動し、前記反射プリズムの移動によって生じた空間に、前記第１レンズ群及び第２レンズ群の少なくとも一部が沈胴収納される構成のズームレンズであって、前記第１，第２レンズ群の光軸上の厚みＬ１、Ｌ２、広角端から望遠端へのズーミングにおける前記第１レンズ群の移動量ｍ１、前記第１レンズ群の焦点距離ｆ１、望遠端における全系の焦点距離ｆｔを各々適切に設定すること。【選択図】    図１１
2011053295.tif 000002
【特許請求の範囲】
【請求項１】
物体側より像側へ順に、正の屈折力の第１レンズ群、負の屈折力の第２レンズ群、光路を折り曲げるための反射プリズム、複数のレンズ群を含む後続レンズ群を有し、ズーミングに際し、少なくとも前記第１、第２レンズ群が移動し、沈胴収納時には撮影状態とは異なる位置に前記反射プリズムが移動し、前記反射プリズムの移動によって生じた空間に、前記第１レンズ群及び第２レンズ群の少なくとも一部が沈胴収納される構成のズームレンズであって、
前記第１，第２レンズ群の光軸上の厚みを各々ＤＬ１、ＤＬ２、広角端から望遠端へのズーミングにおける前記第１レンズ群の移動量をｍ１、前記第１レンズ群の焦点距離をｆ１、望遠端における全系の焦点距離をｆｔとするとき、
０．２５＜｜ｍ１｜／（ＤＬ１＋ＤＬ２）＜０．７６
０．２５＜ｆ１／ｆｔ＜０．５５
なる条件式を満足することを特徴とするズームレンズ。
【請求項２】
前記反射プリズムの光軸方向の厚みと材料の屈折率をそれぞれＬｐｒ、Ｎｐｒとするとき、
０．０５０＜Ｌｐｒ／（Ｎｐｒ・ｆｔ）＜０．１００
なる条件式を満足することを特徴とする請求項１に記載のズームレンズ。
【請求項３】
前記反射プリズムが、沈胴収納時に撮影状態とは異なる位置に移動する方向は、前記第１，第２レンズ群の光軸に対して、垂直方向であることを特徴とする請求項１又は２に記載のズームレンズ。
【請求項４】
前記反射プリズムはズーミングのためには像面に対して不動であることを特徴とする請求項１乃至３のいずれか１項に記載のズームレンズ。
【請求項５】
前記第１レンズ群は負レンズを有し、前記負レンズの物体側のレンズ面と像面側のレンズ面の曲率半径をそれぞれＲ１，Ｒ２とするとき、
０．００＜（Ｒ１＋Ｒ２）／（Ｒ１−Ｒ２）＜６．００
なる条件式を満足することを特徴とする請求項１乃至４のいずれか１項に記載のズームレンズ。
【請求項６】
広角端から望遠端へのズーミングに際しての前記第２レンズ群の移動量をｍ２とするとき、
０．１０＜（ｍ２−ｍ１）／ｆｔ＜０．２８
なる条件式を満足することを特徴とする請求項１乃至５のいずれか１項に記載のズームレンズ。
【請求項７】
前記第２レンズ群の焦点距離をｆ２とするとき、
０．０５＜ｆ２／ｆｔ＜０．２９
なる条件式を満足することを特徴とする請求項１乃至６のいずれか１項に記載のズームレンズ。
【請求項８】
前記後続レンズ群と全系の変倍比をそれぞれ、Ｚｒ、Ｚとするとき、
０．１５＜Ｚｒ／Ｚ＜０．３０
なる条件式を満足することを特徴とする請求項１乃至７のいずれか１項に記載のズームレンズ。
【請求項９】
前記後続レンズ群は物体側から像側へ順に、負の屈折力の第３レンズ群、正の屈折力の第４レンズ群、正の屈折力の第５レンズ群より構成されることを特徴とする請求項１乃至８のいずれか１項のズームレンズ。
【請求項１０】
前記後続レンズ群は物体側から像側へ順に、負の屈折力の第３レンズ群、正の屈折力の第４レンズ群、負の屈折力の第５レンズ群、正の屈折力の第６レンズ群より構成されることを特徴とする請求項１乃至８のいずれか１項のズームレンズ。
【請求項１１】
前記後続レンズ群は物体側から像側へ順に、正の屈折力の第３レンズ群、正の屈折力の第４レンズ群より構成されることを特徴とする請求項１乃至８のいずれか１項のズームレンズ。
【請求項１２】
請求項１乃至１１のいずれか１項に記載のズームレンズと、該ズームレンズによって形成された像を受光する固体撮像素子を有していることを特徴とする撮像装置。
【発明の詳細な説明】
【技術分野】
【０００１】
本発明はズームレンズに関し、例えばビデオカメラ、デジタルスチルカメラ、放送用カメラ、銀塩写真用カメラ等の撮像装置に用いられる撮影光学系に好適なものである。
【背景技術】
【０００２】
最近、撮像装置に用いられる撮影光学系は、高ズーム比で、全体が小型であることが求められており、特にカメラの厚みを薄くできるズームレンズであることが求められている。カメラの小型化とズームレンズの高ズーム比化を図るため、非撮影時に各レンズ群の間隔を撮影状態と異なる間隔まで縮小してカメラ筐体内に収納する、所謂沈胴式のズームレンズが知られている。またカメラの厚みを薄くするために、撮影光学系の光軸を９０°折り曲げる反射プリズムを光路中に配置した、所謂屈曲式のズームレンズが知られている（特許文献１、２）。更に、両方式を複合した方式として、非撮影時には反射プリズムが移動し、反射プリズムが移動することによって生じた空間に、反射プリズムの物体側に位置するレンズ群を沈胴収納するようにした、所謂屈曲沈胴式のズームレンズが知られている（特許文献３）。
【先行技術文献】
【特許文献】
【０００３】
【特許文献１】特開２０００−１８７１６０号公報
【特許文献２】特開２００７−２５１２３号公報
【特許文献３】特開２００７−１１４４４７号公報
【発明の概要】
【発明が解決しようとする課題】
【０００４】
撮影光学系の光路を折り曲げる反射プリズムを備えると共に沈胴式を利用したズームレンズであれば高ズーム比化が容易で、またカメラに適用したときカメラの厚みを薄くすることが容易になる。しかしながら、これらの効果を得るためにはズームレンズのレンズ構成を適切に設定し、かつ反射プリズムの構成及び光路中の配置等を適切に設定することが重要になってくる。例えば、レンズ群の数、各レンズ群の屈折力配置、ズーミングの際の各レンズ群の移動条件等のレンズ構成や反射プリズムの光軸方向の長さ、材料そして光路中に配置するときの位置等を適切に設定することが重要になってくる。これらの構成が適切でないと、上記の効果を得ることが難しい。特許文献３のズームレンズでは、第２レンズ群に反射プリズムを配置している。このため、ズーミングの際に第２レンズ群を可動とすることができない。このため、ズーミングの際の第１レンズ群の移動量が大きくなり、カメラの厚みを薄くすることが難しい。また第１レンズ群Ｌ１の移動量が大きいことから、収納時に反射プリズムを移動して、反射プリズムに対して物体側に配置されるレンズ群をカメラ本体内に収納してカメラの厚みを薄くするのが難しい。
【０００５】
本発明は、高ズーム比で良好なる画像を容易に得ることができ、しかもカメラに適用したときカメラ等の厚みを薄くすることができるズームレンズ及びそれを用いた撮像装置を提供することを目的とする。
【課題を解決するための手段】
【０００６】
本発明のズームレンズは、物体側より像側へ順に、正の屈折力の第１レンズ群、負の屈折力の第２レンズ群、光路を折り曲げるための反射プリズム、複数のレンズ群を含む後続レンズ群を有し、ズーミングに際し、少なくとも前記第１、第２レンズ群が移動し、沈胴収納時には撮影状態とは異なる位置に前記反射プリズムが移動し、前記反射プリズムの移動によって生じた空間に、前記第１レンズ群及び第２レンズ群の少なくとも一部が沈胴収納されるズームレンズであって、
前記第１，第２レンズ群の光軸上の厚みを各々ＤＬ１、ＤＬ２、広角端から望遠端へのズーミングにおける前記第１レンズ群の移動量をｍ１、前記第１レンズ群の焦点距離をｆ１、望遠端における全系の焦点距離をｆｔとするとき、
０．２５＜｜ｍ１｜／（ＤＬ１＋ＤＬ２）＜０．７６
０．２５＜ｆ１／ｆｔ＜０．５５
なる条件式を満足することを特徴としている。
【発明の効果】
【０００７】
本発明によれば、高ズーム比で良好なる画像を容易に得ることができ、しかもカメラに適用したときカメラ等の厚みを薄くすることができるズームレンズが得られる。
【図面の簡単な説明】
【０００８】
【図１】本発明の実施例１の光路を展開したときのレンズ断面図
【図２】本発明の実施例１の（Ａ）は広角端、（Ｂ）は望遠端における収差図
【図３】本発明の実施例２の光路を展開したときのレンズ断面図
【図４】本発明の実施例２の（Ａ）は広角端、（Ｂ）は望遠端における収差図
【図５】本発明の実施例３の光路を展開したときのレンズ断面図
【図６】本発明の実施例３の（Ａ）は広角端、（Ｂ）は望遠端における収差図
【図７】本発明の実施例４の光路を展開したときのレンズ断面図
【図８】本発明の実施例４の（Ａ）は広角端、（Ｂ）は望遠端における収差図
【図９】本発明の実施例５の光路を展開したときのレンズ断面図
【図１０】本発明の実施例５の（Ａ）は広角端、（Ｂ）は望遠端における収差図
【図１１】本発明の実施例１のズームレンズのレンズ断面図
【図１２】本発明の撮像装置の要部概略図
【発明を実施するための形態】
【０００９】
以下に、本発明の好ましい実施の形態を、添付の図面に基づいて説明する。本発明のズームレンズは、物体側より像側へ順に、正の屈折力の第１レンズ群、負の屈折力の第２レンズ群、光学系の光軸を９０度（９０度±１０度以内であれば良い）折り曲げる反射プリズムを有している。更に反射プリズムの像側に複数のレンズ群を含む後続レンズ群を備えている。広角端から望遠端へのズーミングに際し、少なくとも第１レンズ群と第２レンズ群が移動する。沈胴収納時には撮影状態とは異なる位置に反射プリズムが移動する。そして反射プリズムの移動によって生じた空間に、第１レンズ群及び第２レンズ群の少なくとも一部が沈胴収納される。
【００１０】
図１は本発明の実施例１のズームレンズの光路を展開したときの広角端（短焦点距離端）におけるレンズ断面図である。図２（Ａ）、（Ｂ）はそれぞれ実施例１のズームレンズの広角端、望遠端（長焦点距離端）における収差図である。図３は本発明の実施例２のズームレンズの光路を展開したときの広角端におけるレンズ断面図である。図４（Ａ）、（Ｂ）はそれぞれ実施例２のズームレンズの広角端、望遠端における収差図である。図５は本発明の実施例３のズームレンズの光路を展開したときの広角端におけるレンズ断面図である。図６（Ａ）、（Ｂ）はそれぞれ実施例３のズームレンズの広角端、望遠端における収差図である。図７は本発明の実施例４のズームレンズの光路を展開したときの広角端におけるレンズ断面図である。図８（Ａ）、（Ｂ）はそれぞれ実施例４のズームレンズの広角端、望遠端における収差図である。図９は本発明の実施例５のズームレンズの光路を展開したときの広角端におけるレンズ断面図である。図１０（Ａ）、（Ｂ）はそれぞれ実施例５のズームレンズの広角端、望遠端における収差図である。図１１（Ａ）、（Ｂ）は実施例１のズームレンズの光軸を折り曲げた撮影状態と、カメラ本体に収納したときの収納状態（沈胴状態）の説明図である。図１２は本発明のズームレンズを備えるデジタルカメラ（撮像装置）の要部概略図である。
【００１１】
各実施例のズームレンズは撮像装置に用いられる撮影光学系であり、光路を展開したレンズ断面図において、左方が物体側（前方）で、右方が像側（後方）である。尚、各実施例のズームレンズをプロジェクター等の投射レンズとして用いるときは、光路を展開したレンズ断面図において、左方がスクリーン、右方が被投射画像となる。レンズ断面図において、ｉは物体側からのレンズ群の順番を示し、Ｌｉは第ｉレンズ群である。ＬＲは複数のレンズ群を含む後続レンズ群である。ＳＰは絞りである。ＰＲは光学系の光軸を９０度折り曲げる反射面を含む反射プリズムである。矢印は広角端から望遠端へのズーミングにおける各レンズ群の移動軌跡又はフォーカシングにおけるレンズ群の移動方向を示している。収差図において、ＦｎｏはＦナンバー、ｄ、ｇは各々ｄ線及びｇ線、ΔＭ、ΔＳはｄ線のメリディオナル像面、サジタル像面である。倍率色収差はｇ線によって表している。
【００１２】
図１１（Ａ）において、Ｌ１は正の屈折力（光学的パワー＝焦点距離の逆数）の第１レンズ群である。Ｌ２は負の屈折力の第２レンズ群である。ＬＲは複数のレンズ群を有する後続レンズ群である。同図の後続レンズ群ＬＲは負の屈折力の第３レンズ群Ｌ３、正の屈折力の第４レンズ群Ｌ４、正の屈折力の第５レンズ群Ｌ５より成っている。ＰＲは反射面ＰＲａを含む反射プリズムであって、第２レンズ群Ｌ２と第３レンズ群Ｌ３との間に配置されており、光軸上の光線を入射方向に対し９０度反射させている。ＳＰは開口絞りであり、第４レンズ群Ｌ４に配置されている。ＧＢは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面に相当し、銀塩フィルム用カメラの撮像光学系として使用する際にはフィルム面に相当する。
【００１３】
各実施例のズームレンズは、撮影光学系内部に物体側からの光を折り曲げる反射プリズムＰＲを含むことで、カメラの厚み方向を薄くすることを容易にしている。反射プリズムＰＲを屈折率が高い媒質により構成することで、特に広角域における第２、第３レンズ群の間の空気換算長を短縮できるため、前玉径を小さく、カメラ厚を薄くすることができる。各実施例では、第１レンズ群Ｌ１の屈折力を強くすることで、ズーミングの際の第１レンズ群Ｌ１の移動量を小さくして、カメラの厚みを薄くしている。さらに、撮影状態（図１１（Ａ））から収納状態（図１１（Ｂ））へ移る際は、第３、第４、第５レンズ群Ｌ３、Ｌ４、Ｌ５が第１、第２レンズ群Ｌ１、Ｌ２の光軸に対し垂直方向に移動する。更に反射プリズムＰＲが第１、第２レンズ群Ｌ１、Ｌ２の光軸に対し垂直方向へ移動すると共に、反射プリズムＰＲが移動することによって生じた空間に第１レンズ群Ｌ１及び第２レンズ群Ｌ２の少なくとも一部が沈胴収納されるようにしている。このような屈曲沈胴式のズームレンズを採用することによって、カメラのさらなる薄型化を実現している。
【００１４】
また、ズーミングに際して第１レンズ群Ｌ１を第１、第２レンズ群Ｌ１、Ｌ２の総厚に対して適切な移動量で移動させることによって、カメラの厚みの薄型化と高ズーム化を図っている。各実施例のズームレンズにおいて、第１，第２レンズ群Ｌ１，Ｌ２の光軸上の厚みを各々ＤＬ１，ＤＬ２とする。広角端から望遠端へのズーミングに際しての前記第１レンズ群Ｌ１の移動量をｍ１とする。第１レンズ群Ｌ１の焦点距離をｆ１、望遠端における全系の焦点距離をｆｔとする。このとき、
０．２５＜｜ｍ１｜／（ＤＬ１＋ＤＬ２）＜０．７６  ‥‥‥（１）
０．２５＜ｆ１／ｆｔ＜０．５５                    ‥‥‥（２）
なる条件式を満足している。尚、広角端、望遠端とは変倍用のレンズ群が機構上、光軸上を移動可能な範囲の両端に位置したときのズーム位置をいう。移動量は、移動レンズ群の広角端での像面に対する位置と、望遠端での像面に対する位置との差分であり、符号は広角端に対し、望遠端で像側に変位した場合を正とする。
【００１５】
反射プリズムＰＲを退避させつつ、反射プリズムＰＲの物体側に位置するレンズ群を沈胴させるためには、反射プリズムＰＲの物体側に位置するレンズ群を移動させるためのカム筒に、反射プリズムＰＲの退避用の大きな切欠を設けなければならない。そうすると、この切欠によって、カム筒の回転角度が十分に確保できなくなってくる。この結果、第１レンズ群の可動範囲としては、撮影状態から収納状態への移動に加えて、ズーミングの際の移動量も制限され、高ズーム比化が困難になる。そこで各実施例では高ズーム比化とカメラの薄型化の両立を図るために、第１レンズ群Ｌ１をズーミングに際して条件式（１）を満足するように第１、第２レンズ群Ｌ１、Ｌ２の総厚に対して適切な移動量で移動させている。このとき、高いズーム比を得るために、条件式（２）を満足するように第１レンズ群Ｌ１の屈折力を強くしている。これにより沈胴機構によるカメラの薄型化を容易にしている。また、各実施例では、最も物体側に正の屈折力のレンズ群を配置している。そして少なくとも第１、第２レンズ群Ｌ１、Ｌ２を可動としてズーミングを行うことで高ズーム比化を達成している。さらに反射プリズムＰＲを第２レンズ群Ｌ２の像側に配置し、沈胴収納時に撮影状態とは異なる位置に反射プリズムＰＲを移動させている。そして反射プリズムＰＲを移動させることによって生じた空間に第１、第２レンズ群Ｌ１、Ｌ２の少なくとも一部を収納することで高ズーム比かつ薄型のズームレンズを実現している。
【００１６】
条件式（１）は、第１、第２レンズ群Ｌ１、Ｌ２の総厚に対するズーミングの際の第１レンズ群Ｌ１の移動量の比を規定したものである。条件式（１）の下限を超えると第１レンズ群Ｌ１の移動量が小さすぎて前玉有効径、カメラの厚みを薄くすることが困難になる。逆に上限を超えると第１レンズ群Ｌ１の移動量が大きくなりすぎて、カメラの厚みがズーミング時の移動量で決まってしまい大型化してくるので良くない。さらに望ましくは、条件式（１）の数値範囲を条件式（１ａ）とすることで、よりカメラの厚みを薄くすることが容易となる。
【００１７】
０．２７＜｜ｍ１｜／（ＤＬ１＋ＤＬ２）＜０．７６・・・（１ａ）
条件式（２）は、第１レンズ群Ｌ１の屈折力を規定したものである。下限を超えると第１レンズ群Ｌ１の屈折力が強くなりすぎて、構成される正レンズの厚みが大きくなってしまう。逆に上限を超えると、第１レンズ群Ｌ１の屈折力が弱くなって所望のズーム比を得るための移動量が大きくなってカメラの厚みを薄くすることが困難となる。さらに望ましくは、条件式（２）の数値範囲を条件式（２ａ）とすることで、よりカメラの厚みを薄くするのが容易となる。
【００１８】
０．３０＜ｆ１／ｆｔ＜０．５３・・・（２ａ）
条件式（１）のように、ズーミングの際の第１レンズ群Ｌ１の移動量を適切に設定しつつ、条件式（２）の如く第１レンズ群Ｌ１の屈折力を設定することにより、カメラの厚みを薄くしつつ、高ズーム比化を容易にしている。各実施例において更に好ましくは以下の条件式のうち１以上を満足するのが良い。これによれば、各条件式に対応した効果を得ることができる。
【００１９】
反射プリズムＰＲは屈折率が大きい媒質より成り、反射プリズムＰＲの光軸方向の厚みと材料の屈折率をそれぞれＬｐｒ、Ｎｐｒとする。第１レンズ群Ｌ１は負レンズを有し、負レンズの物体側のレンズ面と像面側のレンズ面の曲率半径をそれぞれＲ１，Ｒ２とする。広角端から望遠端へのズーミングに際しての第２レンズ群Ｌ２の移動量をｍ２とする。第２レンズ群Ｌ２の焦点距離をｆ２とする。後続レンズ群ＬＲと全系の変倍比をそれぞれ、Ｚｒ、Ｚとする。このとき
０．０５０＜Ｌｐｒ／（Ｎｐｒ・ｆｔ）＜０．１００    ・・・・・（３）
０．００＜（Ｒ１＋Ｒ２）／（Ｒ１−Ｒ２）＜６．００          ・・・・・（４）
０．１０＜（ｍ２−ｍ１）／ｆｔ＜０．２８        ・・・・・（５）
０．０５＜ｆ２／ｆｔ＜０．２９                  ・・・・・（６）
０．１５＜Ｚｒ／Ｚ＜０．３０                    ・・・・・（７）
なる条件式のうち１以上を満足するのが良い。
【００２０】
条件式（３）は、反射プリズムＰＲの光軸方向の厚み（空気換算長）に対する望遠端における全系の焦点距離の比を規定したものである。ここで空気換算長はＬｐｒ／Ｎｐｒである。下限を超えると、反射プリズムＰＲを配置するための空間が不足する。材料（媒質）の屈折率Ｎｐｒが空気（＝１）など、上限を超える場合は、反射プリズムＰＲを配置するためにより大きな空間が必要となってしまってカメラの薄型化が困難となる。さらに望ましくは、条件式（３）の数値範囲を以下の条件式（３ａ）とすることで、よりカメラの厚みを薄くすることが容易となる。
【００２１】
０．０６０＜Ｌｐｒ／（Ｎｐｒ・ｆｔ）＜０．０９０・・・（３ａ）
条件式（４）は、第１レンズ群Ｌ１を構成する負レンズのレンズ形状について規定したものである。下限を超えると、負レンズに関して物体側に向ける凹面の曲率半径が小さくなって、不必要に第１レンズ群Ｌ１の厚みが大きくなるばかりか、収差補正が困難となる。逆に上限を超えると、高ズーム比化を図る際に収差補正が困難となってくるので好ましくない。さらに望ましくは、条件式（４）の数値範囲を以下の条件式（４ａ）とすることで、よりカメラの厚みを薄くすることが容易となる。
【００２２】
１．００＜（Ｒ１＋Ｒ２）／（Ｒ１−Ｒ２）＜６．００・・・（４ａ）
条件式（５）は、ズーミングの際の第１、第２レンズ群Ｌ１、Ｌ２の総移動量と望遠端における全系の焦点距離の比を規定したものである。下限を超えると高ズーム比化が困難になる。逆に上限を超えるとズーミングの際の移動量が大きくなってカメラの厚みを薄くすることが困難となる。さらに望ましくは、条件式（５）の数値範囲を以下の条件式（５ａ）とすることで、より高ズーム比化、かつカメラの厚みを薄くすることが容易となる。
【００２３】
０．１３＜（ｍ２−ｍ１）／ｆｔ＜０．２７・・・（５ａ）
条件式（６）は、第２レンズ群Ｌ２と望遠端における全系の焦点距離の比を規定したものである。下限を超えると第２レンズ群Ｌ２の屈折力が大きくなりすぎて、負レンズなどの周辺部の肉厚が大きくなるなどカメラの厚みを薄くすることが困難になる。逆に上限を超えると、高ズーム比化が困難になるか、ズーミングの際の第２レンズ群Ｌ２の移動量が増大してくるので好ましくない。さらに望ましくは、条件式（６）の数値範囲を以下の条件式（６ａ）とすることで、カメラの厚みを薄くすることが容易となる。
【００２４】
０．２００＜ｆ２／ｆｔ＜０．２８５・・・（６ａ）
条件式（７）は、後続レンズ群ＬＲの変倍分担比を規定したものである。下限を超えると、第１，第２レンズ群Ｌ１，Ｌ２による変倍負担が増加して、ズーミングの際の移動量が増加してカメラの厚みが増大するので良くない。逆に、上限を超えると後続レンズ群ＬＲのズーミングの際の移動量が増大して、カメラの幅が増大するため好ましくない。さらに望ましくは、条件式（７）の数値範囲を以下の条件式（７ａ）とすることで、カメラの厚み及び幅を薄くするのが容易となる。
【００２５】
０．２０＜Ｚｒ／Ｚ＜０．２７・・・（７ａ）
反射プリズムＰＲが、沈胴収納時に撮影状態とは異なる位置に移動する方向は、第１，第２レンズ群Ｌ１，Ｌ２の光軸に対して、垂直方向又は垂直方向に対して±１０度の範囲内であることが望ましい。このような構成とすることで、カメラの厚み方向へのレンズ群の退避移動が少なくなるため、よりカメラの厚みを薄くすることが容易となる。反射プリズムＰＲは、ズーミングのためには像面に対して不動（固定）である。このような構成とすることで、駆動ユニット等を配置する空間などが不要となり、よりカメラの厚みを薄くすることができる。次に各実施例のレンズ構成の特徴について説明する。
【００２６】
［実施例１］
図１の実施例１のズームレンズのレンズ構成について説明する。実施例１は物体側より像側へ順に、正の屈折力の第１レンズ群Ｌ１、負の屈折力の第２レンズ群Ｌ２、反射プリズムＰＲ、後群ＬＲを有する。後群ＬＲは負の屈折力の第３レンズ群Ｌ３、正の屈折力の第４レンズ群Ｌ４、正の屈折力の第５レンズ群Ｌ５から構成されている。また反射プリズムＰＲの内部には物体からの光路を折り曲げるための反射面が設けられている。ズーミングのためには、反射プリズムＰＲと第３レンズ群Ｌ３は固定（不動）である。実施例１では、ズーミングに際し第３レンズ群Ｌ３は固定としているが、必要に応じて第３レンズ群Ｌ３を広角端から望遠端へのズーミングに際して物体側に移動させても良い。これによれば中間のズーム位置において球面収差やコマ収差などの補正が容易になる。この反射プリズムＰＲを配置するスペースを確保しつつ高ズーム比化を達成するために第１レンズ群Ｌ１のパワーを強くしている。広角端から望遠端へのズーミングに際し、第１，第４レンズ群Ｌ１，Ｌ４は物体側へ移動する。第２レンズ群Ｌ２は像側へ移動するが、この際、像側に凸状の軌跡を描きながら移動しても良い。さらに、負の屈折力の第３レンズ群Ｌ３を配置して第４レンズ群Ｌ４の正の屈折力を大きくして、第４レンズ群Ｌ４を物体側へ大きく移動させることで高ズーム比化を達成している。それらの変倍に伴う像面位置ずれを補正するために第５レンズ群Ｌ５は物体側に凸状の軌跡を描きながら移動している。撮影距離が変化したときのフォーカシングは、第５レンズ群Ｌ５にて行っている。第５レンズ群Ｌ５に関する実線の曲線５ａと点線の曲線５ｂは各々無限遠物体と近距離物体にフォーカスしているときの広角端から望遠端へのズーミングに伴う像面変動を補正するための移動軌跡を示している。また、望遠端において無限遠物体から近距離物体へフォーカスを行う場合には、第５レンズ群Ｌ５を矢印５ｃの如く前方（物体側）に移動させて行っている。カメラが振動したときの画像ぶれを補正する、所謂手ぶれ補正は、第４レンズ群Ｌ４を構成するレンズの一部（第４レンズ群Ｌ４の物体側から数えて３番目の正レンズ）を光軸に対して垂直方向の成分を持つように変位させて行っている。
【００２７】
［実施例２］
図３の実施例２のズームレンズのレンズ構成について説明する。実施例２は物体側より像側へ順に、正の屈折力の第１レンズ群Ｌ１、負の屈折力の第２レンズ群Ｌ２、反射プリズムＰＲ、後群ＬＲを有する。後群ＬＲは負の屈折力の第３レンズ群Ｌ３、正の屈折力の第４レンズ群Ｌ４、負の屈折力の第５レンズ群Ｌ５、正の屈折力の第６レンズ群Ｌ６から構成されている。反射プリズムＰＲの内部には物体からの光路を折り曲げるための反射面が設けられている。ズーミングのためには反射プリズムＰＲと、第３レンズ群Ｌ３、第５レンズ群Ｌ５は固定としている。広角端から望遠端へのズーミングに際し、第１レンズ群Ｌ１は物体側へ、第２レンズ群Ｌ２は像側へ移動している。第４レンズ群Ｌ４は物体側へ移動している。変倍に伴う像面位置ずれを補正するために第６レンズ群Ｌ６は物体側に凸状の軌跡で移動する。ズーミングに際して、第１、第２レンズ群Ｌ１，Ｌ２および第４、第６レンズ群Ｌ４，Ｌ６を可動として高ズーム比化を達成している。撮影距離が変化したときのフォーカシングについては、第６レンズ群Ｌ６にて行っている。第６レンズ群Ｌ６に関する実線の曲線６ａと点線の曲線６ｂは各々無限遠物体と近距離物体にフォーカスしているときの広角端から望遠端へのズーミングに伴う像面変動を補正するための移動軌跡を示している。また、望遠端において無限遠物体から近距離物体へフォーカスを行う場合には、第６レンズ群Ｌ６を矢印６ｃの如く前方（物体側）に移動させて行っている。手ぶれ補正は、第４レンズ群Ｌ４を構成するレンズの一部（第４レンズ群Ｌ４の物体側から数えて３番目の正レンズ）を光軸に対して垂直方向の成分を持つように変位させて行っている。その他の構成等については、実施例１と同じなので詳細説明は省略する。
【００２８】
［実施例３］
図５の実施例３のズームレンズのレンズ構成について説明する。実施例３は物体側より像側へ順に、正の屈折力の第１レンズ群Ｌ１、負の屈折力の第２レンズ群Ｌ２、反射プリズムＰＲ、後群ＬＲを有する。後群ＬＲは正の屈折力の第３レンズ群Ｌ３、正の屈折力の第４レンズ群Ｌ４から構成されている。反射プリズムＰＲの内部には物体からの光路を折り曲げるための反射面が設けられている。広角端から望遠端へのズーミングに際し、第１レンズ群Ｌ１と第３レンズ群Ｌ３は物体側へ移動し、第２レンズ群Ｌ２は像側へ移動する。変倍に伴う像面位置ずれを補正するために第４レンズ群Ｌ４は物体側へ凸状の軌跡を描いて移動する。ズーミングのためには反射プリズムＰＲは固定としている。撮影距離が変化したときのフォーカシングについては、第４レンズ群Ｌ４にて行っている。第４レンズ群Ｌ４に関する実線の曲線４ａと点線の曲線４ｂは、各々無限遠物体と近距離物体にフォーカスしているときの変倍に伴う像面変動を補正するための移動軌跡である。また、望遠端において無限遠物体から近距離物体へフォーカスを行う場合には、矢印４ｃに示す如く第４レンズ群Ｌ４を前方に繰り出すことで行っている。手ぶれ補正は、第３レンズ群Ｌ３を構成するレンズの一部（第３レンズ群Ｌ３の物体側から数えて３番目の正レンズ）を光軸に対して垂直方向の成分を持つように変位させて行っている。その他については、実施例１と同じなので詳細説明は省略する。
【００２９】
［実施例４］
図７の実施例４のズームレンズのレンズ構成について説明する。本実施例のレンズ構成は図１の実施例１と略同じである。本実施例では、第１レンズ群Ｌ１をカメラの厚みが許す範囲で最大限、物体側に移動させることで、前玉有効径の増大を防止しながらワイド端の焦点距離を広画角側に寄せた構成としている。その他については、実施例１と同じである。
【００３０】
［実施例５］
図９の実施例５のズームレンズのレンズ構成について説明する。本実施例のレンズ構成は図５の実施例３と略同じである。本実施例では、第１レンズ群Ｌ１の屈折力を強くすることで、変倍時の第１、第２レンズ群Ｌ１，Ｌ２の移動量を小さくして、カメラの厚みを薄くしている。その他については、実施例３と同じである。各実施例において、ズーミングの際のＦ値変動を低減するために開口絞りＳＰの開口径を変化させる制御を行っても良い。また受光面上に形成された光学像を電気信号に変換する撮像素子を備えた撮像装置と組み合わせた場合などには歪曲収差量によっては電気的な補正を加えても良い。
【００３１】
次に本発明のズームレンズを撮影光学系として用いたデジタルカメラ（光学機器）の実施形態を図１２を用いて説明する。図１２において、２０はデジタルカメラ本体、２１は上述の実施例のズームレンズによって構成された撮影光学系である。Ｐはプリズムである。撮影光学系２１は被写体の像をＣＣＤ等の固体撮像素子上（光電変換素子上）２２に形成している。２３は撮像素子２２が受光した被写体の像を記録する記録手段、２４は不図示の表示素子に表示された画像を観察するためのファインダーである。上記表示素子は液晶パネル等によって構成され、撮像素子２２上に形成された画像が表示される。このように本発明のズームレンズをデジタルカメラ等に適用することにより、小型で高い光学性能を有する撮像装置を実現している。
【００３２】
次に、本発明の各実施例に対応する数値実施例を示す。数値実施例において、ｉは物体側からの面の順序を示す。ｒｉはレンズ面の曲率半径、ｄｉは第ｉ面と第ｉ＋１面との間のレンズ肉厚および空気間隔である。ｎｄｉ、νｄｉはそれぞれｄ線に対する屈折率、アッベ数を表す。ｒ１２、ｒ１３は反射プリズムＰＲである。また、ｋ、Ａ４、Ａ６、Ａ８、Ａ１０は非球面係数である。非球面形状は光軸からの高さｈの位置での光軸方向の変位を、面頂点を基準にしてｘとするとき以下の式で定義される。
【００３３】
ｘ＝（ｈ2／Ｒ）／［１＋｛１−（１＋ｋ）（ｈ／Ｒ）2｝1/2］
＋A4ｈ4＋A6ｈ6＋A8ｈ8＋A10ｈ10
但し、ここでＲは曲率半径である。又、前述の各条件式と各実施例との関係を表−１に示す。
【００３４】
数値実施例１
単位 mm
面データ
面番号       r        d      nd         νd       有効径
1         43.277    1.25   1.84666    23.8       23.45
2         22.500    3.68   1.59201    67.0       22.40
3        331.179    0.08                         22.21
4         22.316    3.01   1.77250    49.6       21.43
5         87.317  (可変)                         20.88
6        237.841    1.00   1.84862    40.0       13.92
7*         7.366    3.22                         10.52
8        -16.992    0.75   1.77250    49.6       10.44
9         26.851    0.05                         10.55
10         16.206    1.59   1.94595    18.0       10.73
11       -893.871  (可変)                         10.64
12          ∞       8.75   1.83400    37.2        7.97
13          ∞     (可変)                          6.77
14        -35.429    0.50   1.48749    70.2        6.51
15        -61.631  (可変)                          6.45
16*         7.870    3.04   1.58913    61.1        8.29
17        -32.010    0.16                          7.81
18       -161.853    0.55   1.80610    33.3        7.59
19         13.438    1.72                          7.25
20(絞り)    ∞       4.11                          7.10
21*        11.385    2.95                          7.84
22        -41.230    2.73                          7.67
23         -7.583    0.55   1.74320    49.3        7.30
24        -12.362  (可変)                          7.62
25*        22.329    2.49   1.69350    53.2        9.81
26        -45.027    0.55   1.84666    23.9        9.62
27      -10000.000  (可変)                         9.56
像面        ∞   
非球面データ
第7面
K =-1.96634e-002  A 4= 6.95999e-006  A 6=-7.39743e-008  A 8= 1.55845e-008  A10= 4.92660e-010  
第16面
K =-4.12650e-001  A 4=-5.17406e-005  A 6=-7.18644e-007  A 8=-6.23045e-010  
第21面
K =-4.05809e-001  A 4=-5.39304e-005  A 6= 1.49263e-006  A 8=-4.14950e-008  A10= 1.77160e-009  
第25面
K = 7.32690e-001  A 4= 5.83938e-006  A 6=-8.36645e-007  A 8= 3.72222e-008  A10=-5.21415e-010  
各種データ
ズーム比      9.42 
広角     中間     望遠
焦点距離       6.69    17.67    63.04  
Fナンバー      3.10     3.88     5.64  
画角          30.08    12.37     3.52  
像高           3.88     3.88     3.88  
レンズ全長    83.11    84.01    88.64  
BF             4.60    10.16     4.03  
d 5            0.74     7.15    15.28  
d11            9.84     4.32     0.81  
d13            1.20     1.20     1.20  
d15           14.28     4.87     0.50  
d24            9.74    13.60    24.11  
d27            4.60    10.16     4.03  
入射瞳位置    18.98    39.15   119.09  
射出瞳位置   -36.83   -55.88  -304.36  
前側主点位置  24.59    52.09   169.24  
後側主点位置  -2.09    -7.51   -59.01  
ズームレンズ群データ
群  始面    焦点距離  レンズ構成長  前側主点位置  後側主点位置
1    1      31.07         8.02         1.64         -3.15
2    6      -7.78         6.60         0.78         -4.25
PR   12       ∞           8.75         2.39         -2.39
3   14    -172.02         0.50        -0.46         -0.80
4   16      17.32        15.80        -0.42        -12.63
5   25      35.85         3.04        -0.17         -1.93
単レンズデータ
レンズ  始面  焦点距離
1       1    -56.92
2       2     40.60
3       4     38.04
4       6     -8.98
5       8    -13.37
6      10     16.84
7      12      0.00
8      14   -172.02
9      16     11.03
10      18    -15.37
11      21     18.29
12      23    -27.76
13      25     21.85
14      26    -53.42
【００３５】
数値実施例２
単位 mm
面データ
面番号       r        d      nd         νd       有効径
1         30.882    1.20   1.84666    23.9       23.20
2         20.372    3.90   1.49700    81.5       21.20
3        189.124    0.10                         19.90
4         22.341    2.20   1.69680    55.5       17.30
5         96.515  (可変)                         16.50
6*       645.267    1.05   1.84954    40.1       14.30
7*         7.173    3.85                         10.80
8        -13.133    0.60   1.80400    46.6       10.70
9        413.861    0.10                         11.00
10         29.085    1.80   1.94595    18.0       11.20
11        -41.398  (可変)                         11.20
12          ∞       8.50   1.83400    37.2        7.67
13          ∞     (可変)                          6.66
14        -11.521    0.60   1.48749    70.2        6.80
15        -14.850  (可変)                          7.00
16*         9.215    2.50   1.58313    59.4        7.90
17*       -29.635    1.00                          7.70
18(絞り)    ∞       1.00                          6.72
19         16.958    0.60   1.84666    23.9        6.30
20          7.903    0.90                          6.00
21         20.964    1.50   1.48749    70.2        7.20
22       -100.005    0.35                          7.10
23          ∞     (可変)                          5.90
24        -44.306    0.70   1.48749    70.2        7.40
25         63.018  (可変)                          7.60
26         16.128    2.40   1.48749    70.2        9.60
27        -26.827    0.60   1.77250    49.6        9.50
28        -46.784  (可変)                          9.50
像面        ∞   
非球面データ
第6面
K =-1.02055e+004  A 4=-1.30281e-005  A 6= 1.29366e-007  
第7面
K =-1.91728e-001  A 4=-4.85642e-005  A 6=-8.28741e-007  
第16面
K =-1.40343e+000  A 4= 7.67948e-005  A 6= 1.34650e-007  A 8=-7.98130e-010  
第17面
K = 3.81603e+000  A 4= 8.57577e-005  
各種データ
ズーム比      9.57 
広角     中間     望遠
焦点距離       6.53    22.20    62.43  
Fナンバー      3.48     4.86     5.74  
画角          30.70     9.90     3.55  
像高           3.88     3.88     3.88  
レンズ全長    83.17    83.09    87.60
BF             8.89    12.41     7.68  
d 5            0.95     8.35    15.47  
d11           11.01     3.60     1.00  
d13            1.00     1.00     1.00  
d15           14.82     3.97     0.35  
d23            2.75    13.60    17.23  
d25            8.27     4.69     9.43  
d28            8.89    12.41     7.68  
入射瞳位置    18.93    41.87   104.22  
射出瞳位置   -33.02   -56.24  -254.57  
前側主点位置  24.44    56.89   151.79  
後側主点位置   2.36    -9.78   -54.75  
ズームレンズ群データ
群  始面    焦点距離  レンズ構成長  前側主点位置  後側主点位置
1    1      31.98         7.40         1.69         -3.04
2    6      -8.32         7.40         0.39         -5.71
PR   12       ∞           8.50         2.32         -2.32
3   14    -112.02         0.60        -1.48         -1.91
4   16      16.34         7.85        -0.91         -6.85
5   24     -53.25         0.70         0.19         -0.28
6   26      28.00         3.00         0.43         -1.56
単レンズデータ
レンズ  始面  焦点距離
1       1    -74.61
2       2     45.59
3       4     41.22
4       6     -8.54
5       8    -15.82
6      10     18.29
7      12      0.00
8      14   -112.02
9      16     12.35
10      19    -18.03
11      21     35.70
12      24    -53.25
13      26     21.05
14      27    -82.49
【００３６】
数値実施例３
単位 mm
面データ
面番号       r        d      nd         νd       有効径
1         52.692    1.25   1.84666    23.8       22.77
2         24.453    3.65   1.59201    67.0       22.06
3       -314.042    0.08                         21.93
4         22.322    2.97   1.77250    49.6       21.07
5         92.104  (可変)                         20.52
6        996.194    0.75   1.88300    40.8       13.71
7          8.237    3.20                         10.95
8        -18.437    1.00   1.77250    49.6       10.83
9*        29.095    0.05                         10.95
10         17.970    1.59   1.94595    18.0       11.12
11       -770.652  (可変)                         11.04
12          ∞       8.75   1.83400    37.2        8.65
13          ∞     (可変)                          7.71
14*         7.589    3.12   1.58913    61.1        8.08
15        -32.045    0.28                          7.48
16        -42.744    0.55   1.74950    35.3        7.23
17         13.097    1.68                          6.89
18(絞り)    ∞       2.47                          6.75
19*        11.489    2.84                          7.56
20        -49.234    3.95                          7.32
21         -6.447    0.75   1.74320    49.3        6.76
22        -10.771  (可変)                          7.22
23*        17.283    3.30   1.69350    53.2       10.52
24        -37.586    0.60   1.84666    23.9       10.18
25      -7541.539  (可変)                         10.06
像面        ∞   
非球面データ
第9面
K = 1.05465e+000  A 4=-1.04012e-005  A 6=-2.08392e-007  A 8= 1.71915e-008  A10=-2.31090e-010  
第14面
K =-3.14719e-001  A 4=-3.46263e-005  A 6=-5.27233e-007  A 8=-5.05083e-009  
第19面
K =-4.94445e-001  A 4=-6.46254e-005  A 6= 1.87297e-006  A 8=-8.20531e-008  A10= 2.59845e-009  
第23面
K =-2.85212e+000  A 4= 7.06178e-005  A 6= 1.90757e-007  A 8=-3.71326e-009  A10= 5.53717e-011  
各種データ
ズーム比      9.42 
広角     中間     望遠
焦点距離       7.01    16.03    66.05  
Fナンバー      3.10     3.87     5.29  
画角          28.93    13.59     3.36  
像高           3.88     3.88     3.88  
レンズ全長    83.25    82.96    87.30
BF             6.25     8.84     4.18  
d 5            0.80     6.01    13.95  
d11            9.90     4.41     0.81  
d13           17.38     9.47     1.30  
d22            6.09    11.40    24.22  
d25            6.25     8.84     4.18  
入射瞳位置    19.55    35.69   102.69  
射出瞳位置   -27.47   -58.27   223.54  
前側主点位置  25.10    47.89   188.63  
後側主点位置  -0.76    -7.20   -61.87  
ズームレンズ群データ
群  始面    焦点距離  レンズ構成長  前側主点位置  後側主点位置
1    1      29.62         7.95         1.96         -2.78
2    6      -8.15         6.59         0.60         -4.43
PR   12       ∞           8.75         2.39         -2.39
3   14      18.73        15.64        -4.27        -13.85
4   23      27.42         3.90        -0.21         -2.46
単レンズデータ
レンズ  始面  焦点距離
1       1    -55.01
2       2     38.47
3       4     37.44
4       6     -9.41
5       8    -14.48
6      10     18.58
7      12      0.00
8      14     10.73
9      16    -13.32
10      19     19.03
11      21    -23.34
12      23     17.50
13      24    -44.62
【００３７】
数値実施例４
単位 mm
面データ
面番号       r        d      nd         νd       有効径
1         43.164    1.25   1.84666    23.8       23.45
2         22.500    3.63   1.59201    67.0       22.53
3        294.860    0.08                         22.36
4         23.789    3.09   1.77250    49.6       21.65
5        116.383  (可変)                         21.08
6        476.092    1.00   1.84862    40.0       13.39
7*         7.550    2.99                         10.11
8        -16.254    0.75   1.77250    49.6       10.00
9         21.781    0.08                         10.01
10         14.677    1.55   1.94595    18.0       10.17
11        510.339  (可変)                         10.05
12          ∞       8.75   1.83400    37.2        8.61
13          ∞     (可変)                          7.28
14        -42.265    0.50   1.48749    70.2        7.01
15        -85.761  (可変)                          6.96
16*         7.228    2.55   1.58913    61.1        7.77
17        -50.715    0.14                          7.30
18         78.471    0.55   1.80610    33.3        7.06
19         10.061    1.78                          6.65
20(絞り)    ∞       3.18                          6.53
21*        11.789    2.51                          7.92
22        -39.467    4.54                          7.82
23         -7.255    0.55   1.74320    49.3        7.29
24        -10.395  (可変)                          7.63
25*        18.795    2.45   1.69350    53.2       10.38
26        -41.100    0.55   1.84666    23.9       10.18
27        453.607  (可変)                         10.08
像面        ∞   
非球面データ
第7面
K = 1.96770e-001  A 4=-2.31685e-005  A 6= 3.97075e-007  A 8=-1.83993e-008  A10= 7.05119e-010  
第16面
K =-4.45643e-001  A 4=-6.13487e-005  A 6=-1.09451e-006  A 8= 2.78333e-009  
第21面
K =-5.70223e-001  A 4=-6.90837e-005  A 6= 2.19332e-006  A 8=-1.30202e-007  A10= 3.74301e-009  
第25面
K = 4.34930e-001  A 4= 3.63367e-007  A 6=-2.58112e-007  A 8= 8.93125e-009  A10=-5.95764e-011  
各種データ
ズーム比      9.62 
広角     中間     望遠
焦点距離       6.25    15.15    60.12  
Fナンバー      3.10     4.09     5.19  
画角          31.80    14.35     3.69  
像高           3.88     3.88     3.88  
レンズ全長    77.91    79.98    88.79
BF             5.32    10.52     4.05  
d 5            0.70     5.13    15.46  
d11            4.69     2.33     0.82  
d13            1.20     1.20     1.20  
d15           16.34     5.11     0.50  
d24            7.20    13.22    24.31  
d27            5.32    10.52     4.05  
入射瞳位置    18.11    29.32   115.44  
射出瞳位置   -32.46   -69.53   1027.60  
前側主点位置  23.33    41.60   179.09  
後側主点位置  -0.93    -4.63   -56.07  
ズームレンズ群データ
群  始面    焦点距離  レンズ構成長  前側主点位置  後側主点位置
1    1      31.32         8.05         1.71         -3.10
2    6      -7.42         6.37         0.87         -3.90
PR   12       ∞           8.75         2.39         -2.39
3   14    -171.59         0.50        -0.33         -0.67
4   16      16.54        15.80        -0.39        -12.82
5   25      31.62         3.00        -0.27         -2.00
単レンズデータ
レンズ  始面  焦点距離
1       1    -57.09
2       2     40.94
3       4     38.15
4       6     -9.05
5       8    -11.95
6      10     15.95
7      12      0.00
8      14   -171.59
9      16     10.92
10      18    -14.37
11      21     18.56
12      23    -34.93
13      25     18.91
14      26    -44.49
【００３８】
数値実施例５
単位 mm
面データ
面番号       r        d      nd         νd       有効径
1         52.929    1.25   1.84666    23.8       23.01
2         22.500    4.17   1.59201    67.0       22.08
3       -117.920    0.08                         21.93
4         18.978    3.29   1.77250    49.6       20.69
5         74.348  (可変)                         20.03
6       -498.733    0.75   1.88300    40.8       12.36
7          7.938    2.81                          9.84
8        -14.878    1.00   1.80400    46.6        9.66
9*        19.752    0.25                          9.69
10         16.652    1.54   1.94595    18.0        9.87
11       -121.100  (可変)                          9.81
12          ∞       8.75   1.83400    37.2        8.73
13          ∞     (可変)                          7.54
14*         7.607    3.04   1.58913    61.1        8.09
15        -49.525    0.27                          7.48
16       -121.025    0.55   1.80610    33.3        7.26
17         13.127    1.68                          6.93
18(絞り)    ∞       1.17                          6.78
19*        12.568    2.76                          7.36
20        -42.076    5.77                          7.24
21         -6.007    0.75   1.74320    49.3        6.74
22         -9.612  (可変)                          7.27
23*        20.145    3.03   1.69350    53.2       11.44
24        -17.946    0.60   1.84666    23.9       11.33
25        -41.013  (可変)                         11.30
像面        ∞   
非球面データ
第9面
K = 1.04420e+000  A 4=-2.74642e-005  A 6=-5.52019e-007  A 8= 5.08695e-008  A10=-8.09891e-010  
第14面
K =-3.36757e-001  A 4=-4.19316e-005  A 6=-8.29043e-007  A 8= 1.91167e-010  
第19面
K =-7.37139e-001  A 4=-8.58520e-005  A 6= 3.73678e-006  A 8=-2.43327e-007  A10= 7.09292e-009  
第23面
K =-4.08726e+000  A 4= 7.05771e-005  A 6=-4.11534e-007  A 8= 1.38957e-008  A10=-2.28389e-010  
各種データ
ズーム比      9.86 
広角     中間     望遠
焦点距離       7.20    11.77    71.01  
Fナンバー      3.10     3.56     5.56  
画角          28.29    18.23     3.12  
像高           3.88     3.88     3.88  
レンズ全長    78.97    78.81    87.41
BF             7.13     9.29     3.99  
d 5            0.89     3.21    11.45  
d11            4.95     2.47     0.81  
d13           17.56    12.19     1.30  
d22            4.95     8.13    24.33  
d25            7.13     9.29     3.99  
入射瞳位置    19.82    26.88   102.18  
射出瞳位置   -32.87   -61.91    66.83  
前側主点位置  25.72    36.70   253.43  
後側主点位置  -0.07    -2.47   -67.02  
ズームレンズ群データ
群  始面    焦点距離  レンズ構成長  前側主点位置  後側主点位置
1    1      24.85         8.79         2.37         -2.88
2    6      -6.87         6.35         0.68         -4.16
PR   12       ∞           8.75         2.39         -2.39
3   14      17.58        15.97        -5.59        -14.26
4   23      21.92         3.63         0.62         -1.54
単レンズデータ
レンズ  始面  焦点距離
1       1    -47.11
2       2     32.27
3       4     32.16
4       6     -8.84
5       8    -10.42
6      10     15.56
7      12      0.00
8      14     11.42
9      16    -14.66
10      19     19.80
11      21    -23.65
12      23     14.15
13      24    -38.14
【００３９】
【表１】
2011053295.tif 000003
【符号の説明】
【００４０】
Ｌ１は第１レンズ群、Ｌ２は第２レンズ群、Ｌ３は第３レンズ群、Ｌ４は第４レンズ群、Ｌ５は第５レンズ群、Ｌ６は第６レンズ群、ＰＲは反射プリズム、ＩＰは像面、ＳＰは開口絞り、ΔＳはサジタル像面、ΔＭはメリディオナル像面
【図１】
2011053295.tif 000004
【図２】
2011053295.tif 000005
【図３】
2011053295.tif 000006
【図４】
2011053295.tif 000007
【図５】
2011053295.tif 000008
【図６】
2011053295.tif 000009
【図７】
2011053295.tif 000010
【図８】
2011053295.tif 000011
【図９】
2011053295.tif 000012
【図１０】
2011053295.tif 000013
【図１１】
2011053295.tif 000014
【図１２】
2011053295.tif 000015